(57)【特許請求の範囲】
【請求項１】
旋回フレームの運転室取付部分の下方空間内に位置し、この空間の底面に着脱を可能に取付けられ、底面に形成されている開口部を塞ぐ物品収納箱を有している、
ことを特徴とする旋回型作業機械。
【請求項２】
物品収納箱が、該底面上に載置され開口部を塞ぐ平板状の底部を有している、
ことを特徴とする請求項１記載の旋回型作業機械。
【請求項３】
着脱可能に取付けられた物品収納箱を取外すことにより同じ場所に他の装備品を取付けることが可能である、
ことを特徴とする請求項１または２記載の旋回型作業機械。
【請求項４】
旋回フレームの該下方空間の外縁側の側面に空間内の物品収納箱の出し入れを可能に設けた窓と、
この窓を開閉可能に閉じる蓋と、を備えている、
ことを特徴とする請求項１から３までのいずれかに記載の旋回型作業機械。
【発明の詳細な説明】
【技術分野】
【０００１】
本発明は旋回型作業機械の旋回フレームに関する。
【背景技術】
【０００２】
油圧ショベルのような旋回型作業機械の旋回フレームには、運転室、作業装置、エンジンなどの種々の機器、装置が搭載されている。この旋回型作業機械（例えば、特許文献１参照）の運転室の床板（特許文献１符号３２）と旋回フレームの底面（特許文献１符号２１）との間の空間には、運転操縦に関連した種々の配管、配線等が設置され、底面にはこの空間に組立、保守点検などの際に下方からアクセスできるように比較的大きな開口部（特許文献１符号２８）が形成されている。この開口部には、下方から空間に異物が侵入しないように、また異物により内部機器が損傷されないようにボトムガード（特許文献１符号２９アンダカバー）が取付けられている。
【先行技術文献】
【特許文献】
【０００３】
【特許文献１】特開２００８−１８９１９４号公報（図１）
【発明の概要】
【発明が解決しようとする課題】
【０００４】
上述の旋回型作業機械には、旋回フレームの底面の開口部を塞ぐために比較的大型のボトムガードを製作し用意する必要がある。
【０００５】
本発明は上記事実に鑑みてなされたもので、その技術的課題は、旋回フレームの運転室が搭載される部分の下方の開口部を、ボトムガードを用意することなく経済的に、開閉可能に塞ぐことができる、旋回型作業機械を提供することである。
【課題を解決するための手段】
【０００６】
本発明によれば上記技術的課題を解決する旋回型作業機械として、旋回フレームの運転室取付部分の下方空間内に位置し、この空間の底面に着脱を可能に取付けられ、底面に形成されている開口部を塞ぐ物品収納箱を有している、ことを特徴とする旋回型作業機械が提供される。
【０００７】
好適には、物品収納箱は、該底面上に載置され開口部を塞ぐ平板状の底部を有している。
【０００８】
そして、着脱可能に取付けられた物品収納箱を取外すことにより同じ場所に他の装備品を取付けることが可能である。また、旋回フレームの該下方空間の外縁側の側面に空間内の物品収納箱の出し入れを可能に設けた窓と、この窓を開閉可能に閉じる蓋と、を備えている。
【発明の効果】
【０００９】
本発明に従って構成された旋回型作業機械は、旋回フレームの運転室取付部分の下方空間内に位置し、この空間の底面に着脱を可能に取付けられ、底面に形成されている開口部を塞ぐ物品収納箱を有している。
【００１０】
したがって、旋回フレームの底面の開口部を、ボトムガードを用意することなくボトムガードを兼用する物品収納箱によって、経済的に、開閉可能に塞ぐことができる。
【図面の簡単な説明】
【００１１】
【図１】本発明に従って構成された旋回型作業機械の旋回フレームの斜視図およびそのＡ−Ａ矢印方向に見た拡大断面図。
【図２】図１の旋回フレームの運転室取付部分を下方（裏側）から見た斜視図およびそのＢ−Ｂ矢印方向に見た拡大断面図。
【図３】図１に示す物品収納箱および箱本体の斜視図。
【図４】旋回型作業機械の代表例としての油圧ショベルの側面図。
【発明を実施するための形態】
【００１２】
以下、本発明に従って構成された旋回型作業機械について、代表的な旋回型作業機械である油圧ショベルにおける好適実施形態を図示している添付図面を参照して、さらに詳細に説明する。
【００１３】
図４を参照して説明する。番号２で示す油圧ショベルは、下部走行体４と、下部走行体４上に旋回自在に設けられた上部旋回体６を備えている。上部旋回体６の旋回フレーム８には、前部左側に運転室１０、前部中央に多関節の作業装置１２、後部にエンジン室１４等が搭載されている。
【００１４】
図１、図２を参照して説明する。運転室１０は旋回フレーム８に、矩形に配置した４個の弾性マウント１６を介してその床板１１が取付けられている。床板１１と下方の旋回フレーム８の底面９との間の空間１８には、運転操縦に関連した種々の配管、配線等が設置されている。平板状の底面９には、この空間１８に機器の組立分解、また保守点検などの際に下方からアクセスできる比較的大きな略矩形の開口部２０（図２参照）が形成されている。
【００１５】
この旋回フレーム８の空間１８には、底面９に物品収納箱の代表例としてのツールボックス２２が開口部２０を塞いで着脱を可能に取付けられている。このツールボックス２２は、旋回フレーム８の下方から旋回フレーム８を通した複数個（実施例は４個）のボルト２４によって取付けられている。
【００１６】
図３を参照して説明する。ツールボックス２２は、旋回フレーム８の底面９に取付けられる箱本体２６と、空間１８内に位置し箱本体２６に被せられた上蓋２８を備えている。箱本体２６は、底面９上に載置され開口部２０を塞ぐ大きさの平板矩形状の底部２６ａと、底部２６ａ上に一体的に設けられた矩形のトレー２６ｂを有している。底部２６ａのトレー２６ｂの外側には前記のボルト２４に対応する位置にナット２６ｃ（４個）が溶接されている。トレー２６ｂの側面には取手である長穴２６ｄが設けられている。
【００１７】
このトレー２６ｂの中に収納する物品の仕切り（図示していない）を設けてもよい。また、トレー２６ｂを底部２６ａにスライドを可能に取付けてもよい。
【００１８】
上蓋２８は、箱本体２６のトレー２６ｂを覆う大きさに板材を折り曲げて形成され、底部２６ａと平行な平面部２８ａと、前記空間１８に配設されている配管、配線等を避けるための平面部２８ａから底部２６ａ側に傾いた傾斜部２８ｂを有している。上蓋２８はトレー２６ｂにビス、フックなどの手段（図示していない）によって止められている。
【００１９】
図１、図２に戻って説明する。着脱可能にツールボックス２２を取付けているボルト２４を外すことにより、ツールボックス２２に代えて同じ位置に他の装備品を取付けることが可能である。他の装備品としては、旋回型作業機械２の仕様、用途などによって装備される、比較的大きなスペースが必要な、例えば追加燃料タンク、エンジン排ガス浄化用の尿素タンク、給油用のリフュエリングポンプユニットなどである。
【００２０】
旋回フレーム８の下方空間１８の外縁側の側面には、空間１８内のツールボックス２２の出し入れを可能に設けた矩形の窓３０と、この窓３０を開閉可能に閉じるドア状の蓋３２を備えている。蓋３２は旋回フレーム８に、一側がヒンジ３４によって他側が鍵付きのラッチ３５によって取付けられている。
【００２１】
空間１８内のツールボックス２２を外して旋回フレーム８の底面９の開口部２０を開けるには、ツールボックス２２を旋回フレーム８に止めているボルト２４を旋回フレーム８の下方から外し、ドア状の蓋３２を開け、ツールボックス２２側面の長穴２６ｄに手をかけて、窓３０から取出せばよい。開口部２０を塞ぐには逆の操作を行う。
【００２２】
単にツールボックス２２にアクセスするだけの場合には、蓋３２を開けて窓３０から、あるいは必要によりボルト２４を外してツールボックス２２を窓３０から引出して（図１，２に二点鎖線鎖で示す）行う。
【００２３】
なお蓋３２の開閉の機会が少ない場合には、蓋３２をドア状でなくボルトによって着脱可能に取付けてもよい。
【００２４】
下方空間１８内のツールボックス２２へのアクセスは、この窓３０から、あるいは運転室１０の床板１１に備えた開口（図示していない）からも行うことができる。
【００２５】
上述したとおりの旋回型作業機械２の作用効果について説明する。
【００２６】
本発明に従って構成された旋回型作業機械２は、旋回フレーム８の運転室１０取付部分の下方空間１８内に位置し、この空間１８の底面９に着脱を可能に取付けられ、底面９に形成されている開口部２０を塞ぐツールボックス２２を有している。したがって、旋回フレーム８の底面９の開口部２０を、ボトムガードを用意することなくボトムガードを兼用するツールボックス２２によって、経済的に、開閉可能に塞ぐことができる。
【００２７】
そして、運転室１０下の空間１８内の機器類の保守点検などの際には、また仕様変更などによる空間１８内の機器類の取付け取外しの際には、ツールボックス２２を取外し開口部２０から運転室１０下空間１８に容易にアクセスすることができる。
【００２８】
さらに、旋回型作業機械２においては旋回フレーム８の大きさが周囲の障害物と干渉しないように小さく制限され物品の収納スペースが少ないので、ツールボックス２２のような物品収納箱を運転室１０下の空間１８内に取付けることにより日常利用しやすい有効な収納スペースを確保することができる。
【００２９】
そして、ツールボックス２２が底面９上に載置され開口部２０を塞ぐ平板状の底部２６ａを有するようにすれば、開口部２０を確実に塞ぐことができるとともに、ツールボックス２２の製作も容易である。なおこの底部２６ａは、開口部２０を塞ぐことができれば必ずしも平板状でなくてもよい。
【００３０】
さらに、着脱可能に取付けられたツールボックス２２を取外すことにより同じ位置に、他の装備品、例えば追加燃料タンク、エンジン排ガス浄化用の尿素タンク、あるいは給油用のリフュエリングポンプユニットなどを、旋回型作業機械２の仕様、用途などによって取付けることが可能である。
【００３１】
そして、旋回フレーム８の下方空間１８の外縁側の側面に空間１８内のツールボックス２２の出し入れを可能に設けた窓３０と、この窓３０を開閉可能に閉じる蓋３２を備えることにより、運転室１０下にある蓋３２を開けると中にツールボックス２２があって、この窓３０を通して自由にものを出し入れできる。
【００３２】
以上、本発明を実施例に基づいて詳細に説明したが、本発明は上記の実施例に限定されるものではなく、例えば下記のように、本発明の範囲内においてさまざまな変形あるいは修正ができるものである。
【００３３】
すなわち、実施例においては物品収納箱の代表例であるツールボックス２２が装備されているが、物品収納箱は、旋回フレーム８の底面９に着脱を可能に取付けられ開口部２０を塞ぐものであれば、ツールボックス２２以外のものでもよいことは言うまでもない。
【符号の説明】
【００３４】
２：油圧ショベル（旋回型作業機械）
８：旋回フレーム
９：底面
１０：運転室
１８：空間
２０：開口部
２２：ツールボックス（物品収納箱）
２６：箱本体
２６ａ：底部
２８：上蓋
３０：窓
３２：蓋
【図１】
0005912840.tif 000002
【図２】
0005912840.tif 000003
【図３】
0005912840.tif 000004
【図４】
0005912840.tif 000005